(57)【要約】【課題】ボデー部材に対するカバー部材の取付若しくは取り外し作業時に扱いが容易な構造にすること。【解決手段】内機２を固定するボデー部材３と、ボデー部材３の開口３１を覆うカバー部材４と、を備えた電気機器収納用箱であって、カバー部材４にラッチ部を備え、ラッチ部を操作する操作部６２をカバー部材４の前面側に備え、ボデー部材３にはラッチ部と係止する係止部３２を備え、係止部３２がボデー部材３の側枠３３よりも突出した構成とする。【選択図】図１
2018137903.tif 000002
【特許請求の範囲】
【請求項１】
内機を固定するボデー部材と、ボデー部材の開口を覆うカバー部材と、を備えた電気機器収納用箱であって、カバー部材にラッチ部を備え、ラッチ部を操作する操作部をカバー部材の前面側に備え、ボデー部材にはラッチ部と係止する係止部を備え、係止部がボデー部材の側枠よりも突出した電気機器収納用箱。
【請求項２】
係止部は内機を一時的に保持可能な保持部を一体に形成した請求項１に記載の電気機器収納用箱。
【請求項３】
係止部をボデー部材の両端側に備え、内機固定部を備えた取付枠の取り付け位置を、係止部間で変更可能に構成した、請求項２に記載の電気機器収納用箱。
【請求項４】
ボデー部材の底面側から隆起させて係止部を設けた請求項１乃至３の何れかに記載の電気機器収納用箱。
【発明の詳細な説明】
【技術分野】
【０００１】
本発明は、電気機器収納用箱に関するものである。
【背景技術】
【０００２】
特許文献１に記載されているように、住宅用分電盤は、ボデー部材と、ボデー部材の開口を覆うカバー部材と、を備えることが一般的である。このボデー部材には、主幹ブレーカや分岐ブレーカなどの配電機器が取付台に取り付けられた内機が固定されている。特許文献１に記載された住宅用分電盤は、カバー部材とボデー部材の上端に係止片と被係止片を形成し、カバー部材の下端にはボデー部材の内側面に係止される引掛部を備えた構造である。この引掛部は下方から押圧することでボデー部材との係合が解除される。
【先行技術文献】
【特許文献】
【０００３】
【特許文献１】特開２００６−１７４６３２号公報
【０００４】
ところで、カバー部材を下方から押圧する際、その勢いによりカバー部材が落下してしまう虞があった。また、カバー部材には回動可能な扉が取り付けられているが、カバー部材の下端に設けられた引掛部を操作することで、当該扉を開けることができると誤認し、扉を開放しようとする際に、使用者が引掛部を押圧してしまう虞もあった。このため、本発明者は、従来と異なる形態により、カバー部材をボデー部材に保持させることができないかと鋭意検討を行った。
【発明の概要】
【発明が解決しようとする課題】
【０００５】
本件の発明は、このような経緯でなされたものであり、本発明の課題は、ボデー部材に対するカバー部材の取付若しくは取り外し作業時に扱いが容易な構造にすることである。
【課題を解決するための手段】
【０００６】
上記課題を解決するため、次のような手段を採用する。第一の手段は、内機を固定するボデー部材と、ボデー部材の開口を覆うカバー部材と、を備えた電気機器収納用箱であって、カバー部材にラッチ部を備え、ラッチ部を操作する操作部をカバー部材の前面側に備え、ボデー部材にはラッチ部と係止する係止部を備え、係止部がボデー部材の側枠よりも突出した電気機器収納用箱である。
【０００７】
第一の手段における係止部は内機を一時的に保持可能な保持部を一体に形成することが好ましい。
【０００８】
また、係止部をボデー部材の両端側に備え、内機固定部を備えた取付枠の取り付け位置を、係止部間で変更可能に構成することが好ましい。
【０００９】
第一の手段におけるボデー部材の底面側から隆起させて係止部を設けることが好ましい。
【発明の効果】
【００１０】
本発明では、ボデー部材にカバー部材が保持されている状態の解除を容易にすることが可能となる。
【図面の簡単な説明】
【００１１】
【図１】分電盤の分解斜視図である。
【図２】ボデー部材と内機を示した斜視図である。
【図３】カバー部材を裏側から見た斜視図である。
【図４】ボデー部材とカバー部材の斜視図である。
【図５】ボデー部材の保持部に内機を仮保持させた状態を示す図である。
【図６】ラッチ部が係止部の前端に接触している状態を示す図である。
【図７】図６よりラッチ部が移動した状態を示す図である。
【図８】ラッチ部と係止部が係止している状態を示す図である。
【図９】ロック部品の斜視図である。
【図１０】ロック部品の分解斜視図である。
【図１１】ボデー部材の正面から見た図である。
【発明を実施するための形態】
【００１２】
以下に発明を実施するための形態を示す。本実施形態の電気機器収納用箱を用いた分電盤１は住宅に使用されるものであり、図１及び図２に示されることから理解されるように、内機２を固定するボデー部材３と、ボデー部材３の前面側に形成された開口３１を覆うカバー部材４と、を備えている。図３に示すように、カバー部材４にはラッチ部６１を備えているが、このラッチ部６１を操作する操作部６２をカバー部材４の前面側に備えている。また、ボデー部材３にはラッチ部６１と係止する係止部３２を備え、図４に示すように、この係止部３２がボデー部材３の側枠３３よりも突出した構造となっている。したがって、係止部３２と係止するラッチ部６１を、カバー部材４内に収める構造とすることができ、カバー部材４を移動させる際に、ラッチ部６１が周囲に物品に引っかかるようなことが抑制され、取り扱い作業が容易となる。また、作業時にカバー部材４を床面においても、ラッチ部６１が床面に接することを回避でき、ラッチ部６１により床面に傷が付くことを防止できる。また、これにより、カバー部材４が不安定な状態で床面におかれることを回避でき、ラッチ部６１の破損を防止できる。なお、カバー部材４には回動自在に取り付けられる扉４ａが形成しており、扉４ａが閉塞した状態では操作部６２を覆うように形成される。
【００１３】
通常、分電盤１を住宅の壁などに設置する際、先ず、ボデー部材３を壁などに固定する。その後、底面開口１９から分岐ブレーカや主幹ブレーカ等の配電機器からなる内機２に接続される電線を入線し、内機２をボデー部材３に取り付ける。本実施形態においては、ラッチ部６１の先端部を係止するための孔部を形成した係止部３２と、内機２を一時的に保持可能な保持部３４と、を一体に形成している。このため、図５に示すように、内機２を保持部３４により仮保持することができ、作業が行いやすくなる。なお、詳しくは係止部３２の基端部側に保持部３４を形成し、先端部側に孔部を形成するものであり、強度がある基端部で内機２を一時的に保持し、内機２をボデー部材３に固定させた後は、係止部３２の孔部にカバー部材４のラッチ部６１の先端部を係止するものである。
【００１４】
また、この後、ボデー部材３にカバー部材４を取り付けるが、ボデー部材３の上端に設けた被係合部３５と、カバー部材４の上端に設けた係合部４３とを係合させて、位置合わせした上で、カバー部材４のラッチ部６１をボデー部材３の係止部３２に係止させる。本実施形態においては、被係合部３５は、凹状に形成された窪みであり、この窪みに係合部４３が係合される構造となる。この窪みは係合部４３の左右方向への移動と前方向への移動を規制する。このような構造であるため、カバー部材４を上方から落とし込んだ際に、窪みに係合部４３が落とし込まれることの確認ができれば、位置合わせされたことの確認となる。したがって係合部４３と被係合部３５の位置合わせの確認が容易となる。
【００１５】
係合部４３と被係合部３５の位置合わせがなされただけの状態では、図６に示すように、係止部３２とラッチ部６１は係止していない。係止部３２とラッチ部６１を係止するためには、カバー部材４をボデー部材３側に押し込めばよい。図６に示す状態からカバー部材４をボデー部材３側に押し込めば、一旦、図７に示したように、ラッチ部６１が上方に移動する。更に押し込んで所定の位置に達すると、ラッチ部６１は下方に移動し、図８に示すように、ラッチ部６１と係止部３２が係止した状態となる。なお、係止部３２の前面端部には、ラッチ部６１の進行方向をガイドするガイド片３９が備えられている。また、ガイド片３９はラッチ部６１をガイドしやすいように、係止部３２の前面端部はＲ形状となっている。なお、先にラッチ部６１を係止部３２に係止した後に、係合部４３を押し込んだ場合でもカバー部材４の弾性により被係合部３５に係止されることが可能なため、ボデー部材３の正面からでもカバー部材４を係止させることが可能となっている。
【００１６】
ここで、ラッチ部６１を備えたロック部品６の構造について説明する。図９に示すように、ラッチ部６１はロック部品本体６３に取り付けられている。ロック部品本体６３はカバー部材４に対して固定される部位であり、ラッチ部６１はロック部品本体６３に対して摺動可能に取り付けられている。また、ロック部品６には、所定方向に移動させたラッチ部６１を元の位置側に戻すための付勢力を与える付勢ばね６４を備えている。本実施形態の付勢ばね６４は、図１０に示すように、ラッチ部６１の移動方向に延びる弦巻ばねである。この付勢ばね６４は、図６に示す状態から図７に示す状態になる間に縮む。その復元力が利用できるため、使用者はカバー部材４をボデー部材３側に押し付ける作業をするだけで、図８に示すように、ラッチ部６１と係止部３２を係止させることができる。
【００１７】
ラッチ部６１を操作可能な操作部６２は操作片として、カバー部材４の前面側に位置するように配置されている。本実施形態においては、ラッチ部６１と操作部６２は一体で構成されており、カバー部材４の前面側から操作部６２を操作すれば、カバー部材４の背面側にあるラッチ部６１が、操作部６２と同方向に移動する。
【００１８】
操作部６２を上方に移動させれば、ラッチ部６１と係止部３２との係止を解除できる。また、ボデー部材３の係合部４３の窪みに対して、カバー部材４の被係合部３５が落とし込まれて係合している構成であるため、係止状態を解除したうえで、カバー部材４を上方に少しずらせばボデー部材３からカバー部材４を取り外すことができる。つまり、本実施形態では、係止を解除すためにかけられる力の方向と、カバー部材４を取り外すためにかけられる力の方向が略一致する。このため、操作部６２の操作と、カバー部材４の取り外し操作とを、一連の動作の中で行いやすい構造となっている。また、操作部６２は左右端側に配置されているため、操作する際に、左右に位置するクランク形状とした側枠３３に手をかけることができる。このため、カバー部材４を把持する動作と、操作部６２を操作する動作の双方を一連の動作で行いやすくなっている。
【００１９】
本実施形態の係止部３２は、ボデー部材３の底面３６から隆起した部位に設けられている。例えば、係止部３２を側面から隆起させて形成すると、樹脂成型による成形上、側面の外面側に凹部が形成されることとなり、意匠性が悪くなる。しかし、底面３６は住宅の壁などに取り付けられる面であるため、意匠性が求められる部位ではない。つまり、ボデー部材３の底面側から隆起させて係止部３２を設ける構造とすることで、意匠性の悪化を招くことなく、係止部３２を設けることが可能となる。
【００２０】
本実施形態では、ボデー部材３の右下端と左下端にカバー部材４の下端コーナー部をガイドするガイド部３７が設けられている。このガイド部３７は、カバー部材４の側枠３３よりも突出させて形成されている。このため、カバー部材４の下方から上方向に向けて強い力が加わっても、ガイド部３７がカバー部材４の内側面に当接することになり、カバー部材４の移動を抑制することができる。
【００２１】
本実施形態の電気機器収納用箱を用いた分電盤１は、係止部３２をボデー部材３の両端側に備えている。また、内機２が取り付けられる取付枠８を備えている。取付枠８は、底面開口１９に架け渡されるように取り付けられるが、この取付枠８の取り付け位置を、係止部３２間で変更可能に構成しているため、内機２の取付台２１の大きさに合わせて取付枠８を移動させることが可能である。なお、図１１に示すように取付枠８を良く使用する固定箇所に△印の表示部８０や数字を印字しておくことにより組立性を向上させることが可能である。なお、本実施形態においては、ボデー部材３の底面開口１９周縁に複数の孔を設けることにより、複数の取付部３８を設けているため、取付枠８の固定位置を左右に調整することが可能となっている。また、本実施形態の取付枠８は、内機を仮保持可能な保持部３４を備えている。また、内機の固定に利用される内機固定部８１を備えている。
【００２２】
以上、一つの実施形態を中心に説明してきたが、本発明は上記実施形態に限定されることはなく、各種の態様とすることが可能である。例えば、係止部３２は、取付枠８に形成することも可能である。
【００２３】
取付枠は一つのみ取り付けるものである必要は無く、複数の取付枠を備えた分電盤とすることも可能である。この場合、複数の取付部の一部もしくは全部を利用して、取付枠を取り付ける構成とすることが可能である。
【符号の説明】
【００２４】
１  分電盤
２  内機
３  ボデー部材
４  カバー部材
８  取付枠
１９  底面開口
３１  開口
３２  係止部
３３  側枠
３４  保持部
３５  被係合部
３６  底面
４３  係合部
６１  ラッチ部
６２  操作部
【図１】
2018137903.tif 000003
【図２】
2018137903.tif 000004
【図３】
2018137903.tif 000005
【図４】
2018137903.tif 000006
【図５】
2018137903.tif 000007
【図６】
2018137903.tif 000008
【図７】
2018137903.tif 000009
【図８】
2018137903.tif 000010
【図９】
2018137903.tif 000011
【図１０】
2018137903.tif 000012
【図１１】
2018137903.tif 000013